(57)【特許請求の範囲】
【請求項１】
表示電極用絶縁層、および前記表示電極用絶縁層上に形成された表示電極を備え、表示情報に応じたパターン形状を有する表示電極層と、
前記表示電極層の前記表示電極上に配置された配線電極用絶縁層、および前記配線電極用絶縁層上に形成された配線電極を備え、前記表示電極に電荷を付与することが可能なパターン形状を有する配線電極層と、
前記配線電極層の前記配線電極上に形成された保護フィルムと、を有し、
前記表示電極層の前記表示電極と前記表示電極直上に配置された前記配線電極層の前記配線電極とが、導電性ペーストを含む導電接続層を用いて接続されており、
前記表示電極直上に配置された前記配線電極層がビアホールを有し、前記表示電極層の前記表示電極と前記配線電極層の前記配線電極とが、前記ビアホールを介して前記導電接続層を用いて接続されており、
前記表示電極層と前記配線電極層との間に配置された絶縁性を有する表示電極用スペーサ層を有し、前記表示電極用スペーサ層が、前記ビアホール直下に表示電極用ビアホールを有しており、
前記配線電極用絶縁層が絶縁性を有する粘着層であり、前記配線電極が金属基材であることを特徴とする電子ペーパー用背面電極基材。
【請求項２】
前記配線電極層と前記保護フィルムとの間に配置された絶縁性を有する配線電極用スペーサ層を有し、前記配線電極用スペーサ層が、前記ビアホール直上に配線電極用ビアホールを有し、かつ前記配線電極用スペーサ層の厚みが、配線電極用ビアホールの端部に形成された導電接続層の厚みと同一、または前記導電接続層の厚みよりも大きいことを特徴とする請求項１に記載の電子ペーパー用背面電極基材。
【請求項３】
請求項１または請求項２に記載の電子ペーパー用背面電極基材と、
透明基材および前記透明基材上に形成された透明電極を有する対向電極基材と、
前記電子ペーパー用背面電極基材と前記対向電極基材との間に配置され、表示媒体を含む表示媒体層と、を有することを特徴とする電子ペーパー。
【発明の詳細な説明】
【技術分野】
【０００１】
本発明は、電子ペーパーに用いた際に、配線電極の断線が発生し難く、かつ表示ムラを生じにくく、良好な情報表示特性を得ることが可能な電子ペーパー用背面電極基材および電子ペーパーに関するものである。
【背景技術】
【０００２】
近年、電子ペーパーと呼ばれる情報媒体の研究がなされている（例えば特許文献１〜特許文献３）。この情報媒体は、対向する基材間にマイクロカプセル等の表示媒体を封入し、電気的に表示の切り替えを行うものであり、低消費電力、曲げ可能なフレキシブル性、薄く軽いなどの優れた特性に加えて、書き換え可能という際立った特長を有し、実用化段階に入りつつある。
【０００３】
上記電子ペーパーのより具体的な構成について説明する。一般的な電子ペーパーは、表示情報に対応するパターン状に形成された表示電極および上記表示電極に電荷を付与するために配置された配線電極を有する背面電極基材と、透明基材および透明電極を有する対向電極基材と、上記背面電極基材および対向電極基材の間に配置され、表示媒体を含む表示媒体層とから構成されるものである。また、上記構成を有する電子ペーパーは、背面電極基材の表示電極と対向電極基材の透明電極との間に電圧を印加することによって、表示媒体層の表示媒体を制御することにより情報を表示するものである。
【０００４】
ここで、上記電子ペーパーに用いられる背面電極基材を製造するに際しては、図１２（ａ）、（ｂ）に示すように、表示電極用絶縁層１”αおよび表示電極１”βを有し、所望のパターン形状に形成された表示電極層１”上全面に、絶縁性フィルム等の配線電極用絶縁層２”αを配置し、配線電極用絶縁層２”α上に導電性ペーストを用いて配線電極２”βを直接描画し、かつ表示電極１”β直上に位置する配線電極用絶縁層２”αにビアホールＶ’を設け、上記ビアホールＶ’にも導電性ペーストを注入して表示電極１”βおよび配線電極２”βを接続させるといった製造方法が用いられていた。
なお、図１２（ａ）は従来の製造方法により製造された電子ペーパー用背面電極基材の一例を示す概略平面図であり、図１２（ｂ）は図１２（ａ）のＡ’−Ａ’線断面図である。また、図１２（ａ）においては、配線電極用絶縁層２”αは点線を用いて示している。
【０００５】
しかしながら、この方法では高価な導電性ペーストを大量に用いる必要があることから製造コストが高くなるといった問題があった。また、上記配線電極を有する背面電極基材をフレキシブル性を有する電子ペーパーに用いた場合は、電子ペーパーを湾曲させた場合に、配線電極に亀裂が入り、断線してしまうおそれがあるといった問題があった。
【０００６】
そこで、上記問題に対して、図１３（ａ）、（ｂ）に示すように、上述の配線電極用絶縁層２”α上に、蒸着法等により金属膜をパターン状に形成した配線電極２”βを上述のビアホールＶ’の近くまで形成し、配線電極２”β上全面に配線電極用ビア層５’を配置し、配線電極用ビア層５’の配線電極２”β直上および上述のビアホールＶ’直上に第２ビアホールＶ”を設け、配線電極用ビア層５’上に導電性ペーストを含む導電接続層４’を線状に形成し、かつ第２ビアホールＶ”内部にも形成することで、配線電極２”βとビアホールＶ’内に配置されている表示電極１”βとを接続する方法が検討されている。しかしながら、上記方法で形成された配線電極２”βを有する背面電極基材１０’を、フレキシブル性を有する電子ペーパーに用いた場合は、電子ペーパーを湾曲させた際に、線状に形成された導電接続層４’に亀裂が入り、断線してしまうおそれがあるといった問題があった。
なお、図１３（ａ）は従来の製造方法により製造された電子ペーパー用背面電極基材の他の例を示す概略平面図であり、図１３（ｂ）は図１３（ａ）のＡ”−Ａ”線断面図である。また、図１３（ａ）においては、説明のため、配線電極用ビア層を省略して示している。また、説明していない符号については、図１２（ａ）、（ｂ）で説明した符号と同様とすることができるので、ここでの説明は省略する。
【０００７】
また、上記背面電極基材１０’は、通常、図１４に示すように、配線電極２”β上に保護フィルム３’がラミネート加工等により配置されて用いられるものである。上記構成を有する場合は、背面電極基材１０’は、線状の導電接続層４’を有する部分と有さない部分とで表面に凹凸を有するため、保護フィルム３’をラミネート加工により配置した場合、上記導電接続層４’を有する部分に配置された保護フィルム３’は上記導電接続層４’を有さない部分に配置された保護フィルム３’に比べて強く引っ張られることとなる。その結果、保護フィルム３’を積層した場合、上記導電接続層４’を有する部分にかかる圧力Ｘは上記導電接続層４’を有さない部分にかかる圧力Ｙに比べて大きくなる。
また、上記圧力の差は、上記背面電極基材を電子ペーパーに用いた場合に、電子ペーパーにかかる圧力の差として現れるものである。
なお、図１４は従来の製造方法により製造された電子ペーパー用背面電極基材の他の例を示す概略断面図であり、説明していない符号については、図１３（ａ）、（ｂ）で説明した符号と同様とすることができるので、ここでの説明は省略する。
【０００８】
ここで、電子ペーパーに用いられる表示媒体層は、表示媒体の移動等を利用して表示を行うものであることから、流動性の高い材料を含む場合が多く、硬度の低い層である場合が多いため、外部からの圧力による影響を受けやすく、例えば外部からの圧力により表示媒体層間のセルギャップが変化したり、表示媒体の駆動の仕方が変化するといった性質を有するものである。
したがって、上述の構成を有する背面電極基材を電子ペーパーに用いた場合は、背面電極基材の上記導電接続層を有する部分においては、上記導電接続層を有さない部分に比べて大きな圧力がかかるため、部分的にセルギャップが小さくなることから表示媒体の駆動速度が変化してしまうといった問題や、上記圧力により表示媒体の駆動が妨げられるといった問題があった。また、その結果、電子ペーパーに表示される画像等の表示にムラが発生して視認性が低下してしまうといった問題があった。
【０００９】
そこで、電子ペーパーに用いられる背面電極基材においては、配線電極の断線を防止することが可能であり、かつ電子ペーパーに用いられた際に表示不良が生じにくく、優れた情報表示を行うことが可能な構成が求められている。
【先行技術文献】
【特許文献】
【００１０】
【特許文献１】特開２００３−２８００４４号公報
【特許文献２】特表２０１０−５０３８９５号公報
【特許文献３】特開２０１０−４４３３７号公報
【発明の概要】
【発明が解決しようとする課題】
【００１１】
本発明は、上記実情に鑑みてなされたものであり、電子ペーパーに用いた際に、配線電極の断線が発生し難く、かつ表示ムラを生じにくく、良好な情報表示特性を得ることが可能な電子ペーパー用背面電極基材、およびこれを用いた電子ペーパーを提供することを主目的とするものである。
【課題を解決するための手段】
【００１２】
本発明は、上記課題を解決するために、表示電極用絶縁層、および上記表示電極用絶縁層上に形成された表示電極を備え、表示情報に応じたパターン形状を有する表示電極層と、上記表示電極層の上記表示電極上に配置された配線電極用絶縁層、および上記配線電極用絶縁層上に形成された配線電極を備え、上記表示電極に電荷を付与することが可能なパターン形状を有する配線電極層と、上記配線電極層の上記配線電極上に形成された保護フィルムとを有し、上記表示電極層の上記表示電極と上記表示電極直上に配置された上記配線電極層の上記配線電極とが、導電性ペーストを含む導電接続層を用いて接続されていることを特徴とする電子ペーパー用背面電極部材を提供する。
【００１３】
本発明によれば、上記表示電極層の上記表示電極と上記表示電極直上に配置された上記配線電極層の上記配線電極とが、導電性ペーストを含む導電接続層を用いて接続されている構成を有するため、従来の構成のように、電子ペーパー用背面電極基材に導電性ペーストを用いて線状に形成された配線電極や導電接続層を有さないことから、本発明の電子ペーパー用背面電極基材が用いられた電子ペーパーの使用時における配線電極の断線を好適に抑制することが可能となる。
また、従来の構成に比べて、導電性ペーストの使用量を少なくすることが可能となることから、製造コストについても削減することが可能となる。
【００１４】
本発明においては、上記表示電極直上に配置された上記配線電極層がビアホールを有し、上記表示電極層の上記表示電極と上記配線電極層の上記配線電極とが、上記ビアホールを介して上記導電接続層を用いて接続されていることが好ましい。表示電極層の表示電極および配線電極層の配線電極の接続安定性を向上させることが可能となるからである。
【００１５】
本発明においては、上記配線電極層と上記保護フィルムとの間に配置された絶縁性を有する配線電極用スペーサ層を有し、上記配線電極用スペーサ層が、上記ビアホール直上に配線電極用ビアホールを有し、かつ上記配線電極用スペーサ層の厚みが、配線電極用ビアホールの端部に形成された導電接続層の厚みと同一、または上記導電接続層の厚みよりも大きいことが好ましい。上記配線電極用スペーサ層を有することにより、配線電極層および保護フィルムの間に空隙を有さない、すなわち、上記電子ペーパー用背面電極基材の上記保護フィルム側の表面を平坦なものとすることが可能となる。よって、本発明の電子ペーパー用背面電極基材を電子ペーパーに用いた場合は、電子ペーパーの表示媒体層にかかる圧力を均一なものとすることが可能となるため、上述した表示媒体層にかかる圧力の違いによる表示不良の発生を防止し、視認性に優れた情報表示を行うことが可能となる。
【００１６】
本発明においては、上記表示電極層と上記配線電極層との間に配置された絶縁性を有する表示電極用スペーサ層を有し、上記表示電極用スペーサ層が、上記ビアホール直下に表示電極用ビアホールを有するものであることも好ましい。上記表示電極用スペーサ層を有することにより、本発明の電子ペーパー用背面電極基材が用いられた電子ペーパーにおいて、配線電極層の配線電極の電荷の影響により、表示媒体層の表示媒体が誤作動を起こすことを防止することが可能となる。
【００１７】
本発明は、上述した電子ペーパー用背面電極基材と、透明基材および上記透明基材上に形成された透明電極を有する対向電極基材と、上記電子ペーパー用背面電極基材と上記対向電極基材との間に配置され、表示媒体を含む表示媒体層とを有することを特徴とする電子ペーパーを提供する。
【００１８】
本発明によれば、上述した電子ペーパー用背面電極基材を有することから、使用時において背面電極基材の配線電極に断線を生じ難く、かつ製造コストの低い電子ペーパーとすることができる。また、表示不良の発生が抑制され、視認性の高い情報表示を行うことが可能な電子ペーパーとすることができる。
【発明の効果】
【００１９】
本発明においては、電子ペーパーに用いた際に、配線電極の断線が発生し難く、かつ表示ムラを生じにくく、良好な情報表示特性を得ることが可能な電子ペーパー用背面電極基材を得ることが可能となるといった効果を奏する。
【図面の簡単な説明】
【００２０】
【図１】本発明の電子ペーパー用背面電極基材の一例を示す概略図である。
【図２】本発明の電子ペーパー用背面電極基材の他の例を示す概略図である。
【図３】本発明の電子ペーパー用背面電極基材に用いられる配線電極層のパターン形状の一例を示すパターン図である。
【図４】本発明の電子ペーパー用背面電極基材の他の例を示す概略図である。
【図５】本発明の電子ペーパー用背面電極基材に用いられる導電接続層の一例を示す概略断面図である。
【図６】本発明の電子ペーパー用背面電極基材の他の例を示す概略断面図である。
【図７】本発明の電子ペーパー用背面電極基材の他の例を示す概略断面図である。
【図８】本発明の電子ペーパー用背面電極基材の他の例を示す概略断面図である。
【図９】本発明の電子ペーパーの一例を示す概略断面図である。
【図１０】本発明の電子ペーパー用背面電極基材の製造方法の一例を示す工程図である。
【図１１】本発明の電子ペーパーの製造方法の一例を示す工程図である。
【図１２】従来の電子ペーパー用背面電極基材の一例を示す概略図である。
【図１３】従来の電子ペーパー用背面電極基材の他の例を示す概略図である。
【図１４】従来の電子ペーパー用背面電極基材の他の例を示す概略図である。
【発明を実施するための形態】
【００２１】
以下、本発明の電子ペーパー用背面電極基材、および電子ペーパーについて説明する。
【００２２】
Ａ．電子ペーパー用背面電極基材
まず、本発明の電子ペーパー用背面電極基材（以下、単に背面電極基材と称して説明する場合がある。）について説明する。
【００２３】
本発明の背面電極基材は、表示電極用絶縁層、および上記表示電極用絶縁層上に形成された表示電極を備え、表示情報に応じたパターン形状を有する表示電極層と、上記表示電極層の上記表示電極上に配置された配線電極用絶縁層、および上記配線電極用絶縁層上に形成された配線電極を備え、上記表示電極に電荷を付与することが可能なパターン形状を有する配線電極層と、上記配線電極層の上記配線電極上に形成された保護フィルムとを有し、上記表示電極層の上記表示電極と上記表示電極直上に配置された上記配線電極層の上記配線電極とが、導電性ペーストを含む導電接続層を用いて接続されていることを特徴とするものである。
【００２４】
なお、本発明において「電極上に配置される」とは、配線電極または表示電極上に直接配置されている場合だけではなく、他の層を介して配置されている場合を含む概念である。
また、本発明において「配線電極層の配線電極が表示電極層の表示電極直上に配置されている」とは、本発明の背面電極基材を配線電極層側から平面視で観察した場合に、配線電極層の配線電極の少なくとも一部が表示電極層の表示電極が配置されている領域に含まれ、表示電極および配線電極を線状のパターンを含まない導電接続層で接続可能な位置に配線電極が配置されていることを指し、上記の配置関係となるように、表面電極層の表面電極上に配線電極層が直接配置されている場合だけではなく、他の層を介して配置されている場合を含む概念である。
【００２５】
ここで、本発明の背面電極基材について図を用いて説明する。
図１（ａ）は本発明の背面電極基材の一例を示す概略平面図であり、図１（ｂ）は図１（ａ）のＢ−Ｂ線断面図である。図１（ａ）、（ｂ）に示すように、本発明の背面電極基材１０は、表示電極用絶縁層１α、および表示電極用絶縁層１α上に形成された表示電極１βを備え、表示情報に応じたパターン形状を有する表示電極層１と、表示電極層１の表示電極１β上に配置された配線電極用絶縁層２α、および配線電極用絶縁層２α上に形成された配線電極２βを備え、上記表示電極１βに電荷を付与することが可能なパターン形状を有する配線電極層２と、配線電極層２の配線電極２β上に形成された保護フィルム３とを有するものである。
また、本発明の背面電極基材１０は、表示電極層１の表示電極１βと表示電極１β直上に配置された配線電極層２の配線電極２βとが、導電性ペーストを含む導電接続層４を用いて接続されているものである。
【００２６】
本発明によれば、上記表示電極層の上記表示電極と上記表示電極直上に配置された上記配線電極層の上記配線電極とが、導電性ペーストを含む導電接続層を用いて接続されている構成を有するため、従来の構成のように、背面電極基材に導電性ペーストを用いて線状に形成された配線電極や導電接続層を有さないことから、本発明の背面電極基材が用いられた電子ペーパーの使用時における配線電極の断線を好適に抑制することが可能となる。
また、従来の構成に比べて、導電性ペーストの使用量を少なくすることが可能となることから、製造コストについても削減することが可能となる。
【００２７】
本発明の背面電極基材の構成としては、上記表示電極層の上記表示電極と上記表示電極直上に配置された上記配線電極層の上記配線電極とが、導電性ペーストを含む導電接続層を用いて接続されている構成を有するものであれば特に限定されない。
本態様においては、なかでも、上記表示電極直上に配置された上記配線電極層がビアホールを有し、上記表示電極層の上記表示電極と上記配線電極層の上記配線電極とが、上記ビアホールを介して上記導電接続層を用いて接続されている構成を有することが好ましい。
【００２８】
上述した背面電極基材の構成について図を用いて説明する。
図２（ａ）は本発明の背面電極基材の他の例を示す概略平面図であり、図２（ｂ）は図２（ａ）のＡ−Ａ線断面図である。図２（ａ）、（ｂ）に示すように、本発明の背面電極基材１０の好ましい構成は、表示電極１β直上に配置された配線電極層２がビアホールＶ１を有し、表示電極層１の表示電極１βと配線電極層２の配線電極２βとが、ビアホールＶ１を介して導電接続層４を用いて接続されている構成である。
なお、図２（ａ）、（ｂ）において説明していない符号については、図１（ａ）、（ｂ）と同様とすることができるので、ここでの説明は省略する。
【００２９】
本発明においては、ビアホールを介して表示電極層の表示電極および配線電極層の配線電極が導電接続層を用いて接続されていることから、ビアホール内部に導電接続層を保持することが可能となるため、ビアホールを介さないで各電極上に導電接続層が配置されている場合に比べて、導電接続層の剥がれ、割れ等を防止することができ、表示電極層の表示電極と配線電極層の配線電極との接続安定性を向上させることができる。
【００３０】
以下、本発明において上記構成を有する場合の背面電極基材の詳細について説明する。
【００３１】
１．配線電極層
本発明における配線電極層は、上記表示電極層の上記表示電極上に配置された配線電極用絶縁層、および上記配線電極用絶縁層上に形成された配線電極を備え、上記表示電極に電荷を付与することが可能なパターン形状を有するものである。
また、本発明においては、表示電極上に配置された上記配線電極層がビアホールを有する。
【００３２】
（１）ビアホール
本発明においては、上記ビアホールを介して、表示電極層の表示電極上および配線電極の配線電極上に、導電接続層が配置される。
【００３３】
本発明におけるビアホールは、表示電極直上に位置する配線電極層に形成されるものである。なお、本発明において、「ビアホールが表示電極直上に位置する配線電極層に形成される」とは、ビアホールを介して各電極上に導電接続層を配置することができ、かつ配置された導電接続層を用いて表示電極および配線電極を接続させることが可能な配線電極層の位置にビアホールが形成されていることを指す。具体的には、本発明の背面電極基材を配線電極層側から平面視で観察した場合に、表示電極層が配置されている領域に完全に含まれて配置されている配線電極層にビアホールが形成されている場合だけではなく、表示電極層が配置されている領域の一部に配置されている配線電極層にビアホールが形成されている場合を含む。
【００３４】
本発明におけるビアホールの平面視上の形状としては、表示電極上および配線電極上に導電接続層を配置することが可能な形状であれば特に限定されず、円形状、楕円形状、四角形状、多角形状等、およびこれらを組み合わせた形状等を挙げることができる。
【００３５】
上記ビアホールの大きさとしては、上述した表示電極直上に位置する配線電極層の任意の位置に形成することができ、かつ表示電極および配線電極が接続可能となるように導電接続層を配置することが可能な大きさであれば特に限定されず、通常は、ビアホールが設けられる配線電極層の形状等に応じて適宜調整される。
具体的に、上記ビアホールの大きさとしては、０．５ｍｍ〜２０．０ｍｍの範囲内、なかでも１．０ｍｍ〜１０．０ｍｍの範囲内、特に２．０ｍｍ〜５．０ｍｍの範囲内であることが好ましい。上記大きさが上記範囲を超える場合は、導電接続層に用いられる導電性ペースト等の材料が多量に必要となることから製造コストが高くなる場合があるからである。また、上記大きさが上記範囲に満たない場合は、導電接続層を用いて十分に表示電極および配線電極を接続させることが困難となる場合があるからである。
なお、「ビアホールの大きさ」とは、ビアホールの形状において、最も大きい幅を指す。
【００３６】
（２）配線電極層のパターン形状
本発明における配線電極層は上述したビアホールを有するものである。
【００３７】
上記配線電極層のパターン形状としては、上記ビアホールを有することができ、かつ、表示電極に電荷を付与することが可能なパターン形状であれば特に限定されず、表示電極層のパターン形状等に応じて適宜選択することができる。
このような配線電極層のパターン形状としては、通常、図２（ａ）等に示すように、線状のパターン形状を好適に用いることができる。
【００３８】
また、この場合、ビアホールが形成されている部分における配線電極層２のパターン形状としては、図３（ａ）に示すように、ビアホールＶ１が形成されている部分とその他の部分とが同一の形状を有していてもよく、図３（ｂ）に示すように、ビアホールＶ１が形成されている部分がビアホールＶ１の形状に沿ったパターン形状を有していてもよい。
本発明においては、なかでも、図３（ｂ）に示すように、ビアホールＶ１が形成されている部分がビアホールＶ１の形状に沿ったパターン形状を有することが好ましい。このようなパターン形状とすることにより、ビアホールが形成されていない部分における配線電極層の線幅については小さくすることが可能となるため、本発明の背面電極基材を用いた電子ペーパーを小型化する場合や、本発明の背面電極基材に用いられる表示電極層のパターン形状が微細な場合においても、好適に配線電極層を配置することが可能となるからである。
なお、図３（ａ）、（ｂ）は本発明の背面電極基材に用いられる配線電極層のパターン形状の例を示すパターン図であり、説明していない符号については、図２（ａ）等と同様とすることができるので、ここでの説明は省略する。
【００３９】
上記配線電極層の線幅としては、上記ビアホールを有することができ、かつ、表示電極に電荷を付与することが可能な程度であれば特に限定されないが、１．０ｍｍ〜３０．０ｍｍの範囲内、なかでも３．０ｍｍ〜２０．０ｍｍの範囲内、特に５．０ｍｍ〜１０．０ｍｍの範囲内であることが好ましい。上記線幅が上記範囲に満たない場合は、上述したビアホールを形成することが困難となる場合や、配線電極層自体を形成することが困難となる場合があるからである。また、配線電極層の耐久性が十分ではないことから、本発明の背面電極基材を用いた電子ペーパーの使用時に断線する可能性があるからである。
また、上記線幅が上記範囲を超える場合は、本発明の背面電極基材を用いた電子ペーパーを小型化することが困難となる可能性や、対応する表示電極層のパターン形状を微細化することが困難であることから、上記電子ペーパーにおいて高精細な情報表示を行うことが困難となる可能性があるからである。
【００４０】
（３）配線電極層の構成
本発明における配線電極層は、配線電極用絶縁層および配線電極を有するものである。
このような配線電極層としては、配線電極用絶縁層として樹脂製基材を有し、かつ配線電極として導電層を有する態様（以下、Ａの態様とする。）と、配線電極用絶縁層として絶縁性を有する粘着層を有し、かつ配線電極として金属基材を有する態様（以下、Ｂの態様とする。）とを挙げることができる。
以下、各態様について説明する。
【００４１】
（ｉ）Ａの態様
本態様の配線電極層は、配線電極用絶縁層として樹脂製基材を有し、かつ配線電極として導電層を有するものである。
【００４２】
（ａ）配線電極用絶縁層
本態様における配線電極絶縁層としては、樹脂性基材が用いられる。
上記樹脂製基材としては、透明性を有するものであってもよく、透明性を有さないものであってもよい。
【００４３】
また、上記樹脂製基材としては、配線電極層を所望のパターン形状に加工することが可能であれば特に限定されず、フレキシブル性を有するものであってもよく、フレキシブル性を有さないものであってもよいが、フレキシブル性を有するものであることが好ましい。本発明の背面電極基材を用いた電子ペーパーを加工性に優れたものとすることが可能となるからである。
【００４４】
上記樹脂製基材としては、ヒートシール性を有するものであってもよく、ヒートシール性を有さないものであってもよい。上記樹脂製基材がヒートシール性を有するものである場合は、配線電極層を表示電極層の表示電極上に直接配置することが可能となる。なお、上記樹脂製基材がヒートシール性を有さない場合は、通常、後述する粘着層を介して配線電極層が表示電極層の表示電極上に配置されることとなる。
【００４５】
上記樹脂製基材に用いられる樹脂としては、例えば、ポリエチレンテレフタレート（ＰＥＴ）、ポリエチレンナフタレート（ＰＥＮ）、ポリエーテルサルフォン（ＰＥＳ）、ポリイミド（ＰＩ）、ポリエーテルエーテルケトン（ＰＥＥＫ）、ポリカーボネート（ＰＣ）、ポリエチレン（ＰＥ）、ポリプロピレン（ＰＰ）、ポリフェニレンサルファイド（ＰＰＳ）、ポリエーテルイミド（ＰＥＩ）、セルローストリアセテート（ＣＴＡ）、環状ポリオレフィン（ＣＯＰ）、ポリメチルメタクリレート（ＰＭＭＡ）、ポリサルフォン（ＰＳＦ）、ポリアミドイミド（ＰＡＩ）等を挙げることができる。
【００４６】
上記樹脂製基材の厚みとしては、本発明における配線電極層が所望のパターン形状を有することが可能となる程度であれば、特に限定されるものではなく、本発明の背面電極基材の用途等に応じて適宜調整すればよい。具体的に、樹脂製基材の厚みは、１０μｍ〜５００μｍの範囲内であることが好ましい。樹脂製基材の厚みが薄すぎると、配線電極層の強度に問題があるおそれがあり、樹脂製基材の厚みが厚すぎると、本発明の背面電極基材が用いられた電子ペーパーを薄型化することが困難となるおそれがあるからである。
【００４７】
（ｂ）配線電極
本態様における配線電極としては、導電層が用いられる。また、上記導電層は上記配線電極用絶縁層上に形成されるものである。また、表示電極層の表示電極に電荷を付与するために用いられるものである。
【００４８】
上記配線電極に用いられる材料としては、導電性を有し、表示電極層の表示電極に所望の電荷を付与することが可能なものであれば特に限定されず、一般的な電極材料と同様とすることができる。このような材料の例としては、Ｔａ、Ｔｉ、Ａｌ、Ｚｒ、Ｃｒ、Ｎｂ、Ｈｆ、Ｍｏ、Ａｕ、Ａｇ、Ｐｔ、Ｍｏ−Ｔａ合金、Ｗ−Ｍｏ合金、ＩＴＯ、ＩＺＯ等の無機材料、および、ＰＥＤＯＴ／ＰＳＳ等の導電性を有する有機材料を挙げることができる。
【００４９】
配線電極の厚みとしては、配線電極層上に形成することができ、表示電極層の表示電極に所望の電荷を付与することが可能な程度であれば特に限定されないが、５ｎｍ〜１０００００ｎｍ（０．００５μｍ〜１００μｍ）の範囲内、なかでも１０ｎｍ〜１０００ｎｍの範囲内、特に１５ｎｍ〜２００ｎｍの範囲内であることが好ましい。配線電極の厚みが上記範囲に満たない場合は、配線電極を均一な厚みで形成することが困難であるからであり、配線電極の厚みが上記範囲を超える場合は、配線電極の成膜に用いられる時間や材料が多くなるため、製造コストが高くなるからである。
【００５０】
本発明に用いられる配線電極の形成方法としては、所望の厚みで配線電極を形成することができる方法であれば特に限定されるものではない。このような配線電極層の形成方法としては、一般的な電極の成膜方法を用いることができ、例えば、真空蒸着法、スパッタリング法、イオンプレーティング法等のＰＶＤ法や、ＣＶＤ法、導電ペーストを塗布する方法等が挙げられる。
【００５１】
（ｉｉ）Ｂの態様
本態様の配線電極層は、配線電極用絶縁層として絶縁性を有する粘着層を有し、かつ配線電極として金属基材を有するものである。
【００５２】
（ａ）配線電極用絶縁層
本態様における配線電極用絶縁層としては、絶縁性を有する粘着層が用いられる。
【００５３】
粘着層に用いられる粘着材としては、表示電極と配線電極との間を絶縁することができ、かつ表示電極層上に配線電極を十分に固定することが可能であれば特に限定されず、例えば、ポリカーボネート系樹脂、ポリオレフィン系樹脂、アクリル系樹脂、ウレタン系樹脂、シリコーン系樹脂、ポリエステル系樹脂、エポキシ系樹脂等を挙げることができ、中でも、アクリル系樹脂が好ましい。
【００５４】
また、上記粘着層の膜厚としては、表示電極と配線電極との間を絶縁することができ、かつ表示電極層上に配線電極を十分に固定することが可能であれば特に限定されるものではなく、具体的には、５μｍ〜５０μｍの範囲内で設定することができる。
【００５５】
粘着層の形成方法としては、一般的な塗布法を用いることができる。
【００５６】
（ｂ）配線電極
本態様における配線電極としては、金属基材が用いられる。
【００５７】
上記配線電極に用いられる金属材料としては、上述した「（ｉ）Ａの態様」に用いられる配線電極の金属材料と同様とすることができるので、ここでの説明は省略する。
【００５８】
また、本態様における配線電極の厚みとしては、表示電極に所望の電荷を付与することが可能であれば特に限定されないが、１μｍ〜５００μｍの範囲内、なかでも、５μｍ〜２００μｍの範囲内、特に、１０μｍ〜１００μｍの範囲内であることが好ましい。上記配線電極の厚みが上記範囲に満たない場合は、配線電極の強度を十分なものとすることが困難であり、本態様の背面電極基材の製造時、または使用時に配線電極に断線を生じる可能性があるからである。また、上記配線電極の厚みが上記範囲を超える場合は、配線電極層を所望のパターン形状に加工することが困難となる場合があるからである。
【００５９】
（４）配線電極層の形成方法
本発明における配線電極層の形成方法としては、上述したパターン形状を有するように配線電極層を形成することが可能な方法であれば特に限定されない。
本発明においては、例えば、配線電極層に用いられる樹脂製基材上全面に配線電極を形成した配線電極層用基材を準備し、配線電極層用基材を所望の形状にカッティングすることにより配線電極層を形成する方法を好適に用いることができる。
また、金属基材を準備し、金属基材を所望のパターン形状にカッティングして配線電極を形成し、配線電極の一方の表面に粘着層からなる配線電極用絶縁層を形成することにより、配線電極層を形成することができる。
【００６０】
２．導電接続層
本発明に用いられる導電接続層は、ビアホールを介して表示電極層の表示電極と配線電極層の配線電極とを接続させるために用いられるものである。また、上記導電接続層はビアホールを介して表示電極および配線電極上に配置されるものである。
【００６１】
上記導電接続層は、通常、ビアホール内に位置する表示電極上全面に配置されるものである。
【００６２】
上記配線電極層上に配置された導電接続層の厚み（以下、単に導電接続層の厚みと称して説明する場合がある。）としては、配線電極層の配線電極と表示電極層の表示電極とを接続させることが可能な程度の厚みであれば特に限定されないが、１０μｍ〜３００μｍの範囲内、なかでも２０μｍ〜２００μｍの範囲内、特に５０μｍ〜１００μｍの範囲内であることが好ましい。導電接続層の厚みが上記範囲に満たない場合は、配線電極層上の導電接続層の強度が十分ではないことから、本発明の背面電極基材が用いられた電子ペーパーの使用時に導電接続層に亀裂を生じ、配線電極に断線を生じる可能性があるからである。上記範囲を超える場合は、導電接続層の材料が多く必要となることから、製造コストが高くなる可能性があるからである。また、背面電極基材の保護フィルム側表面の凹凸が大きくなることから、本発明の背面電極基材を電子ペーパーに用いた場合に、表示媒体層にかかる圧力の違いに起因する表示不良が生じる可能性があるからである。
【００６３】
上記導電接続層は、通常、導電性ペーストを用いて形成されるものである。
上記導電性ペーストとしては、導電性を有し、上記ビアホールを介して各電極に導電性層を配置することにより、各電極を接続させることができるものであれば特に限定されるものではなく、具体的には、導電性高分子化合物や、樹脂材料に導電性を有する無機材料を分散させたもの等を用いることができる。
【００６４】
上記導電性ペーストが導電性高分子化合物である場合、上記導電性高分子化合物としては、具体的には、ポリチオフェン、ポリパラフェニレン、ポリアニリン、ポリパラフェニレンビニル等を用いることができる。
【００６５】
また、上記導電性ペーストが、樹脂材料に導電性を有する無機材料を分散させたものである場合は、上記導電性を有する無機材料としては、カーボン、Ａｇ、Ｃｕ、Ａｌ等を挙げることができ、本発明においては、導電率の点でＡｇ、Ｃｕ等を用いることがより好ましい。
【００６６】
また、上記樹脂材料としては、具体的には、アクリル樹脂、エポキシ樹脂、ウレタン樹脂等を用いることができる。
【００６７】
上記導電接続層の形成方法としては、ビアホールを介して各電極上に導電接続層を配置することができるような方法であれば特に限定されず、一般的な塗布法等を用いて形成することができる。
【００６８】
３．表示電極層
本発明における表示電極層は、表示電極用絶縁層、および上記表示電極用絶縁層上に形成された表示電極を備え、表示情報に応じたパターン形状を有するものである。
なお、上記表示電極層は、通常、表示電極用絶縁層上全面に表示電極が形成されているものである。
【００６９】
なお、本発明において「表示電極層が表示情報に応じたパターン形状を有する」とは、表示電極層が、本発明の背面電極基材を電子ペーパーに用いた場合に電子ペーパーに所望の情報を表示することが可能となるようなパターン形状を有することを指す。
【００７０】
また、上記表示電極層のパターン形状としては、１つの表示電極層を用いて１つの情報を表示することが可能となるようなパターン形状であってもよく、複数の表示電極層を用いて１つの情報を表示することが可能となるようなパターン形状であってもよい。
【００７１】
このような表示電極層のパターン形状としては、本発明の背面電極基材を用いた電子ペーパーの用途等に応じて適宜選択されるものであり、具体的には、文字、数字、符号、標章や、人物、動物、植物、食物、道具、乗物、建物、風景等の絵柄等の表示情報に応じたパターン形状を挙げることができる。
【００７２】
本発明における表示電極層は、表示電極用絶縁層および表示電極を有するものである。このような表示電極用絶縁層および表示電極の材料、厚み等については、上述した配線電極層に用いられる配線電極用絶縁層および配線電極の材料、厚み等と同様とすることができるので、ここでの説明は省略する。
【００７３】
本発明における表示電極層の形成方法としては、所望のパターン形状を有する表示電極層を形成することが可能であれば特に限定されない。
本発明においては、例えば、表示電極用絶縁層に用いられる樹脂製基材上全面に表示電極を形成し、これを所望の形状にカッティングすることにより、表示電極層を形成する方法を好適に用いることができる。また、上述した配線電極層の項で説明したように、金属基材および粘着層を用いても形成することができる。
【００７４】
４．保護フィルム
本発明における保護フィルムは、配線電極層の配線電極上に配置されるものである。
【００７５】
上記保護フィルムとしては、本発明の背面電極基材に用いられる層を保護することが可能であれば特に限定されないが、ラミネート加工が可能なフィルムであることが好ましい。
上記保護フィルムがラミネート加工が可能なフィルムであることにより、配線電極上に容易に保護フィルムを配置することが可能となるからである。
【００７６】
また、上記保護フィルムとしては、単層のフィルム材料からなるものであってもよいし、複数層のフィルム材料が積層されたものを用いてもよい。
【００７７】
本発明における保護フィルムとしては、なかでも、ラミネート加工可能なベースフィルム材料とシーラントフィルム材料が積層されたものを用いることが好ましい。
具体的には、ラミネート加工可能なベースフィルム材料としては、ラミネート加工時の加熱圧着による耐熱性の観点からポリイミド、ポリエチレンナフタレート、ポリエチレンテレフタラート、ポリカーボネート、ポリエーテルイミド、ポリエーテルエーテルケトン、ポリエーテルケトン、ポリフェニレンスルフィド、液晶ポリマー、エポキシ樹脂、シリコーン樹脂、フェノール樹脂等が挙げられる。
また、シーラントフィルム材料としては無延伸ポリプロピレンフィルム、二軸延伸ポリプロピレンフィルム等が挙げられる。また、ポリウレタン、ポリアクリル、エポキシ樹脂、シリコーン等の熱シール性のある材料からなる塗膜等を用いることも可能である。
なお、保護フィルムを配線電極上に配置する場合は、ベースフィルム材料とシーラントフィルム材料とのうち、シーラントフィルム材料側が対向するように配置されて接着される。
【００７８】
また、上記保護フィルムの厚みとしては、本発明の背面電極基材に用いられる各層を保護することが可能となる程度の膜厚であれば特に限定されないが、１０μｍ〜３００μｍの範囲内、なかでも１５μｍ〜１００μｍの範囲内、特に２５μｍ〜５０μｍの範囲内であることが好ましい。上記厚みが上記範囲に満たない場合は、本発明の背面電極基材を用いた電子ペーパーの使用時に保護フィルムが破断する可能性があるからであり、上記厚みが上記範囲を超える場合は、本発明の背面電極基材を用いた電子ペーパーを薄型化することが困難となる可能性があるからである。
【００７９】
５．その他の構成
本発明の背面電極基材は、上記表示電極層、配線電極層、保護フィルム、および導電接続層を有するものであれば特に限定されず、他にも必要な構成を適宜選択して追加することが可能である。以下、このような構成について説明する。
【００８０】
（１）配線電極用スペーサ層
本発明においては、配線電極用スペーサ層を有することが好ましい。
【００８１】
ここで、本発明における配線電極用スペーサ層について、図を用いて説明する。図４（ａ）は、本発明の背面電極基材の他の例を示す概略断面図、図４（ｂ）は図４（ａ）のＣ部分の拡大図、図４（ｃ）は配線電極層２、配線電極用スペーサ層５および保護フィルム３の配置の関係を示す模式図である。
本発明における配線電極用スペーサ層５は、図４（ａ）〜（ｃ）に示すように、配線電極層２と保護フィルム３との間に配置され、絶縁性を有するものである。また、配線電極用スペーサ層５は、ビアホールＶ１直上に配線電極用ビアホールＶ２を有するものである。さらに、配線電極用スペーサ層５は、その厚みｔが、図４（ｂ）に示すように、配線電極用ビアホールＶ２の端部に形成された導電接続層４の厚みｓと同一、または図示はしないが導電接続層４の厚みｓよりも大きいものである。また、図４（ｃ）に示すように、配線電極用スペーサ層５は、通常、保護フィルム３と同様の形状を有するものである。
なお、図４（ａ）〜（ｃ）において説明していない符号については図１（ｂ）等と同様とすることができるので、ここでの説明は省略する。
【００８２】
本発明においては、上記配線電極用スペーサ層を有することにより、配線電極層および保護フィルムの間に空隙を有さない、すなわち、背面電極基材の保護フィルム側の表面を平坦なものとすることが可能となる。よって、本発明の背面電極基材を電子ペーパーに用いた場合は、電子ペーパーの表示媒体層にかかる圧力を均一なものとすることが可能となるため、上述した表示媒体層にかかる圧力の違いによる表示不良の発生を防止し、視認性に優れた情報表示を行うことが可能となる。
【００８３】
なお、「配線電極用スペーサ層の厚みが、配線電極用ビアホールの端部に形成された導電接続層の厚みと同一である」とは、上記配線電極用スペーサ層と上記配線電極用ビアホール内に形成されている導電接続層との厚みの差が、±３０μｍ以下、好ましくは±２０μｍの範囲内、より好ましく±１０μｍの範囲内であることを指す。また、「配線電極用スペーサ層の厚みが、配線電極用ビアホールの端部に形成された導電接続層４の厚みと同一である」とは、図４（ｂ）に示すように、配線電極用ビアホールＶ２の端部に形成された導電接続層の厚みｓと、配線電極層２表面から配線電極用ビアホールＶ２の中央部分に形成された導電接続層４の表面までの厚みｓ’とが同等の場合だけではなく、図５に示すように、上述の厚みｓ’が上述の厚みｓよりも小さい場合も含む概念である。
【００８４】
一方、「配線電極用スペーサ層の厚みが、配線電極用ビアホールの端部に形成された導電接続層の厚みよりも大きい」とは、上記配線電極用スペーサ層と上記配線電極用ビアホール内に形成されている導電接続層との厚みの差が、本発明の背面電極用基材を用いた電子ペーパーに表示不良が発生させない程度であれば特に限定されるものではない。
具体的には、上記配線電極用スペーサ層と上記配線電極用ビアホール内に形成されている導電接続層との厚みの差が、５０μｍ以下、なかでも３０μｍ〜５０μｍの範囲内であることが好ましい。上記厚みの差が上記範囲を超える場合は、本発明の背面電極基材を用いた電子ペーパーに表示不良が発生する可能性があるからである。
【００８５】
上記配線電極用スペーサ層の厚みとしては、上述した導電接続層の厚みとの関係が上述した関係となり、本発明の背面電極基材の保護フィルム側表面の凹凸を小さいものとすることが可能であれば特に限定されないが、具体的には、１０μｍ〜３００μｍの範囲内、なかでも２０μｍ〜２００μｍの範囲内、特に５０μｍ〜１００μｍの範囲内であることが好ましい。上記厚みが上記範囲に満たない場合は、配線電極用スペーサ層を配置した場合であっても、本発明の背面電極基材の保護フィルム側表面の表面凹凸を十分に小さいものとすることが困難である可能性があるからである。また、上記厚みが上記範囲を超える場合は、本発明の背面電極基材を用いた電子ペーパーを薄型化することが困難となる可能性があるからである。
【００８６】
また、配線電極用スペーサ層に設けられる配線電極用ビアホールの大きさとしては、配線電極用ビアホールを介して、下層に位置するビアホール内に導電接続層を配置することが可能となる程度の大きさであれば特に限定されないが、ビアホールの大きさよりも大きいことが好ましい。配線電極用ビアホールの大きさをビアホールの大きさよりも大きくすることにより、配線電極用スペーサ層を配線電極層上に配置する際の位置合わせを容易に行うことが可能となることから、背面電極基材の製造工程を簡便な工程とすることが可能となる。
【００８７】
このような配線電極用ビアホールの大きさについては、具体的には、ビアホールの大きさを考慮して適宜決定される。
【００８８】
配線電極用スペーサ層に用いられる材料としては、絶縁性を有し、配線電極層および保護フィルムの間に配置することが可能であり、かつ上記配線電極用ビアホールを形成することが可能な材料であれば特に限定されない。通常は、樹脂製基材が用いられる。
なお、配線電極用スペーサ層に用いられる樹脂製基材については、上述した配線電極用絶縁層に用いられる樹脂製基材と同様とすることができるので、ここでの説明は省略する。
【００８９】
なお、本発明において、図６に示すように、配線電極用スペーサ層５の配線電極用ビアホールＶ２が形成されている部分において、導電接続層４と保護フィルム３との間に空隙を有する場合は、導電接続層４および保護フィルム３の間に充填層６を配置してもよい。充填層６を有することにより、本発明の背面電極基材１０の保護フィルム３側の表面をより平坦性の高いものとすることが可能となることから、本発明の背面電極基材１０を電子ペーパーに用いた場合により良好な情報表示を行うことが可能となるからである。
【００９０】
上記充填層に用いられる材料としては、配線電極用スペーサ層の表面の凹凸がより少なくなるように、配線電極用ビアホール内に配置することが可能なものであれば特に限定されないが、なかでも接着剤であることが好ましい。配線電極用スペーサ層の表面段差を小さくするとともに、防湿の効果もあり、湿気による電極劣化を防止することが可能となるからである。
【００９１】
上記充填層に用いられる接着剤としては、公知のものとすることができる。なかでも、吸湿性の低い材料の方が好ましい。
【００９２】
（２）表示電極用スペーサ層
本発明においては、図７に示すように、表示電極層１と配線電極層２との間に配置された絶縁性を有する表示電極用スペーサ層７を有していることが好ましい。また、表示電極用スペーサ層７は、通常、上記ビアホールＶ１直下に表示電極用ビアホールＶ２を有するものである。
【００９３】
ここで、配線電極層に用いられる配線電極用絶縁層の厚みが薄い場合においては、本発明の背面電極基材を電子ペーパーに用いた際に、配線電極の電荷が表示媒体層の表示媒体に影響し、電子ペーパーを用いて所望の情報表示を行うことが困難となることが懸念される。また、配線電極用絶縁層の厚みを表示媒体に電荷の影響を与えない程度に厚くした場合は、配線電極層を上述のカッティング処理を施す方法を用いて形成することが困難となる可能性がある。
そこで、本発明においては、表示電極用スペーサ層を設けることにより、上述した配線電極の表示媒体層への影響を十分に阻害することができるとともに、所望の形状を有する配線電極層を所望の形状で形成することが可能となる。
【００９４】
表示電極用スペーサ層の形状としては、表示電極層の表示電極上に配置することができ、かつ表示電極用スペーサ層上に配線電極層の配置することが可能な形状であれば特に限定されない。このような表示電極用スペーサ層の形状としては、例えば、配線電極層のパターン形状と同様のパターン形状であってもよく、保護フィルムと同様の形状を有していてもよい。
【００９５】
表示電極用スペーサ層の厚みとしては、本発明の背面電極基材を電子ペーパーに用いた場合に、配線電極層の配線電極の電荷が表示媒体層の表示媒体に影響しない程度の厚みであれば特に限定されないが、１０μｍ〜２００μｍの範囲内、なかでも１０μｍ〜１００μｍの範囲内、特に１０μｍ〜５０μｍの範囲内であることが好ましい。表示電極用スペーサ層の厚みが上記範囲に満たない場合は、表示電極用スペーサ層を配置した場合であっても、配線電極層の配線電極の電荷の影響を十分に阻害することが困難となる可能性があるからである。また、上記厚みが上記範囲を超える場合は、表示電極用スペーサ層を所望のパターン形状に形成することが困難となる可能性があるからである。また、本発明の背面電極基材を用いた電子ペーパーを薄型化することが困難になる可能性があるからである。
【００９６】
また、表示電極用スペーサ層に形成される表示電極用ビアホールの大きさとしては、表示電極用ビアホールを介して導電接続層を配置することにより、表示電極層の表示電極と配線電極層の配線電極とを接続させることが可能となる程度の大きさであれば特に限定されないが、表示電極用ビアホールの大きさがビアホールの大きさよりも小さいことが好ましい。これにより、表示電極用スペーサ層および配線電極層の位置合わせを容易に行うことが可能となるため、本発明の背面電極基材の製造工程を簡便な工程とすることが可能となるからである。
なお、具体的な表示電極用ビアホールの大きさについては、通常、配線電極層に形成されるビアホールの大きさに応じて適宜選択される。
【００９７】
上記表示電極用スペーサ層に用いられる材料としては、絶縁性を有し、配線電極層の配線電極の電荷の影響を十分に阻害することができる材料であれば特に限定されない。通常は、上述した配線電極用絶縁層に用いられる樹脂製基材と同様とすることができる。
【００９８】
（３）粘着層
本発明においては、図８に示すように、本発明の背面電極基材１０に用いられる各層は粘着層８を介して接着されていてもよい。粘着層を用いた場合は、本発明の背面電極基材の各層間の密着性を高いものとすることが可能となり、その結果、本発明の背面電極基材の強度を高いものとすることができるからである。また、背面電極基材を製造する際に、簡便に各層間を貼り合せることが可能となるからである。
また、図８に示すように、表面電極層１の表面電極用絶縁層１α側の表面に粘着層８が形成されていてもよい。これにより、本発明の背面電極用基材を電子ペーパーの表示媒体層に容易に配置することが可能となるからである。
【００９９】
粘着層に用いられる粘着材、上記粘着層の膜厚、および粘着層の形成方法としては、各層を貼り合わせることができ、かつ、表示電極層の表示電極用絶縁層側と電子ペーパーの表示媒体層とを貼り合わせることができれば特に限定されるものではなく、具体的には、上述したＢの態様の配線電極層に用いられる粘着層と同様とすることができる。
【０１００】
（４）剥離層
本発明において、図８に示すように、表示電極層１の表示電極用絶縁層１α側に粘着層８が形成されている場合は、剥離層９を有することが好ましい。上記剥離層を有することにより、本発明の背面電極基材を取り扱い易いものとすることができる。
【０１０１】
このような剥離層としては、上記粘着層から容易に剥離することができ、粘着層に欠損部分を生じさせないものとすることが可能であれば特に限定されず、公知のものとすることができる。
【０１０２】
６．背面電極基材
上記の説明においては、表示電極層の表示電極および配線電極層の配線電極の接続安定性の観点から、本発明の背面電極基材において好ましい構成、すなわち、図２（ａ）、（ｂ）等に示すように、配線電極層２が表示電極１β直上にビアホールＶ１を有し、表示電極層１の表示電極１βと配線電極層２の配線電極２βとが、ビアホールＶ１を介して導電性ペーストを含む導電接続層４を用いて接続されている構成を有するものを例に挙げて説明しているが、これに限定されるものではなく、表示電極層の表示電極と表示電極直上に配置された配線電極層の配線電極とが、導電性ペーストを含む導電接続層を用いて接続されている構成を有するものであれば、本発明の作用効果を奏することが可能である。
【０１０３】
このような構成としては、例えば上述した図１（ａ）、（ｂ）に示すように、表示電極層１の表示電極１βと表示電極１β直上に配置された配線電極層２の配線電極２βとが、ビアホールを介さずに導電性ペーストを含む導電接続層４を用いて接続されている構成や、図示はしないが、ビアホールを有さない配線電極層を上述した配線電極用スペーサ層や表示電極用スペーサ層とともに表示電極層の表示電極直上に配置し、表示電極層の表示電極および配線電極層の配線電極が、配線電極用ビアホールや表示電極用ビアホールを介して上記導電接続層を用いて接続されている構成等を挙げることができる。
【０１０４】
７．用途
本発明の背面電極基材は、種々の表示媒体層を有する電子ペーパーに用いることができる。本発明においては、なかでも、表示媒体としてツイストボールを用いた表示媒体層を有する電子ペーパーに用いることが好ましい。表示媒体としてツイストボールを有する表示媒体層は、背面電極基材の保護フィルム側表面の凹凸に起因する表示不良が発生しやすいことから、本発明の背面電極基材の効果を高く発揮することが可能となるからである。
【０１０５】
８．背面電極基材の製造方法
本発明の背面電極基材の製造方法としては、上述した構成を有する背面電極基材を製造することが可能な方法であれば特に限定されない。例えば後述する「Ｂ．電子ペーパー」の項で説明する方法を用いることができる。
【０１０６】
Ｂ．電子ペーパー
次に、本発明の電子ペーパーについて説明する。
本発明の電子ペーパーは、上述した「Ａ．電子ペーパー用背面電極基材」の項で説明した背面電極基材と、透明基材および上記透明基材上に形成された透明電極を有する対向電極基材と、上記背面電極基材と上記対向電極基材との間に配置され、表示媒体を含む表示媒体層とを有することを特徴とするものである。
【０１０７】
ここで、本発明の電子ペーパーについて図を用いて説明する。
図９は、本発明の電子ペーパーの一例を示す概略断面図である。図９に示すように、本発明の電子ペーパー１００は、背面電極基材１０と、透明基材２１および透明電極２２を有する対向電極基材２０と、背面電極基材１０と対向電極基材２０との間に配置され、表示媒体３１を含む表示媒体層３０とを有するものである。ここで、背面電極基材１０については、図２で説明したものと同様とすることができるので、ここでの説明は省略する。
また、図９においては、表示媒体層３０は、ツイストボール３１と低極性溶媒層３２とを有するものである。また、本発明においては表示媒体層用基材３３を有していてもよい。
【０１０８】
本発明によれば、上述した電子ペーパー用背面電極基材を有することから、使用時において背面電極基材の配線電極に断線を生じ難く、かつ製造コストの低い電子ペーパーとすることができる。また、表示不良の発生が抑制され、視認性の高い情報表示を行うことが可能な電子ペーパーとすることができる。
【０１０９】
以下、本発明の電子ペーパーの各構成について説明する。
【０１１０】
１．背面電極基材
本発明における背面電極基材については、上述した「Ａ．電子ペーパー用背面電極基材」の項で説明したものと同様とすることができるので、ここでの説明は省略する。
【０１１１】
２．対向電極基材
本発明における対向電極基材は、透明基材と、上記透明基材上に形成された透明電極を有するものである。
【０１１２】
（１）透明基材
まず、上記対向電極基材に用いられる透明基材について説明する。
本発明における対向電極基材に用いられる透明基材としては、所望の透明性を有するものであれば特に限定されるものではなく、一般的な電子ペーパーに用いられている透明基材と同様のものを用いることができる。中でも、本発明に用いられる透明基材は、可視光領域における透過率が８０％以上であることが好ましく、９０％以上であることがより好ましい。透過率が上記範囲であることにより、本発明の電子ペーパーの表示輝度が低下すること等を防止することができるからである。
ここで、透明基材の透過率は、ＪＩＳ  Ｋ７３６１−１（プラスチック−透明材料の全光透過率の試験方法）により測定することができる。
【０１１３】
本発明に用いられる透明基材は、ガラス基板等のフレキシブル性を有さない透明な基材であってもよく、あるいは、樹脂製フィルム等のフレキシブル性を有する透明な基材であってもよい。
【０１１４】
中でも、本発明においては、フレキシブルを有する透明な基材を用いることが好ましい。フレキシブルを有する透明な基材を用いることにより、本発明の電子ペーパーにフレキシブル性を付与することが可能となり、加工性を向上させることが可能となるからである。上記樹脂製フィルム基材に用いられる樹脂については、上述した「Ａ．電子ペーパー用背面電極基材」の項で説明した配線電極用絶縁層に用いられる樹脂製基材のものと同様とすることができるので、ここでの説明は省略する。
【０１１５】
また、本発明においては、フレキシブル性を有する薄板ガラスを透明基材として用いてもよい。このような薄板ガラスとしては、例えば、ソーダライムガラス、無アルカリガラス、石英ガラス等を用いることができ、中でも、無アルカリガラスが好ましい。
【０１１６】
本発明に用いられる透明基材の厚みとしては、特に限定されるものではなく、本発明の電子ペーパーの用途等に応じて適宜調整すればよい。具体的に、透明基材の厚みは、１０μｍ〜５００μｍの範囲内であることが好ましい。透明基材の厚みが薄すぎると、強度に問題があるおそれがあり、透明基材の厚みが厚すぎると、本発明の電子ペーパーを薄型化することが困難となるおそれがあるからである。
【０１１７】
（２）透明電極
次に、上記対向電極基材に用いられる透明電極について説明する。
本発明に用いられる透明電極の材料としては、透明電極を形成することができる導電性材料であれば特に限定されるものではなく、例えば、酸化インジウム錫（ＩＴＯ）、酸化インジウム亜鉛（ＩＺＯ）、酸化錫、酸化亜鉛、酸化インジウム、酸化アルミニウム亜鉛（ＡＺＯ）等の導電性酸化物、Ａｕ、Ｎｉ等の金属、ポリアニリン、ポリアセチレン、ポリアルキルチオフェン誘導体、ポリシラン誘導体のような導電性高分子等を用いることができ、中でも、ＩＴＯが好適に用いられる。
【０１１８】
本発明に用いられる透明電極の厚みとしては、透明電極として機能することができれば特に限定されるものではないが、１５ｎｍ〜２００ｎｍの範囲内であることが好ましい。透明電極の厚みが上記範囲に満たない場合は、透明電極を均一な厚みで形成することが困難であるからであり、透明電極の厚みが上記範囲を超える場合は、透明電極の成膜に用いられる時間や材料が多くなるため、製造コストが高くなるからである。
【０１１９】
本発明に用いられる透明電極の形成方法としては、所望の厚みで透明電極を形成することができる方法であれば特に限定されるものではない。このような透明電極の形成方法としては、一般的な電極の成膜方法を用いることができ、例えば、真空蒸着法、スパッタリング法、イオンプレーティング法等のＰＶＤ法や、ＣＶＤ法、導電ペーストを塗布する方法等が挙げられる。また、上記透明電極は、下地となる層または透明基材の表面上に全面に形成されていてもよく、下地となる層または透明基材の表面上にパターン状に形成されていてもよい。
【０１２０】
（３）その他の構成
本発明における対向電極基材は、上述した透明電極、および透明基材を有するものであれば特に限定されず、必要な構成を適宜選択して追加することができる。
以下、このような構成としては例えば補助電極を挙げることができる。
【０１２１】
ここで、補助電極とは、導電性材料を用いてメッシュ状に形成された電極であり、透明電極に積層させて形成されるものである。上記補助電極を透明電極とともに用いることで、上記対向電極基材の導電性を向上させることが可能となる。
なお、補助電極については、一般的な電子ペーパーの対向電極基材に用いられるものと同様とすることができるので、ここでの説明は省略する。
【０１２２】
３．表示媒体層
次に、表示媒体層について説明する。
上記表示媒体層は、背面電極基材と、対向電極基材との間に配置されるものである。
【０１２３】
本発明に用いられる表示媒体層は、本発明の電子ペーパーの表示方式に応じて適宜選択されるものである。
電子ペーパーの表示方式としては、公知のものを適用することができ、例えば、電気泳動方式、ツイストボール方式、粉体移動方式（電子粉流体方式、帯電トナー型方式）、液晶表示方式、サーマル方式（発色方式、光散乱方式）、エレクトロクロミック方式、エレクトロウェッティング方式、磁気泳動方式などが挙げられる。本発明においては、中でも、ツイストボール方式が好適に用いられる。表示媒体としてツイストボールを有する表示媒体層は、背面電極基材の保護フィルム側表面の凹凸に起因する表示不良が発生しやすいことから、上述した背面電極基材の効果を高く発揮することが可能となるからである。
【０１２４】
なお、ツイストボール方式は、表示電極層の表示電極および対向電極基材の透明電極の間に駆動電圧を印加して生じた電界により、異なる帯電特性を有する２色相球状粒子（ツイストボール）を２色相のいずれか１色の相がツイストボール型電子ペーパーの表示面側に向くように回転させることで情報を表示する方式である。
【０１２５】
以下、本発明の電子ペーパーがツイストボール方式の電子ペーパーである場合の表示媒体層について説明する。
【０１２６】
ツイストボール方式の電子ペーパーに用いられる表示媒体層は、通常、２色相のツイストボール、および低極性溶媒を含む低極性溶媒層を備えるものである。
【０１２７】
（１）ツイストボール
本発明に用いられるツイストボールは、異なる帯電特性を有する２色相を有するものである。また、本発明における電子ペーパーにおいて表示媒体として働くものである。
【０１２８】
本発明に用いられるツイストボールとしては、球状であり、有色彩相／白色相あるいは有色彩相／有色彩層の異なる２色相を有し、異なる２色相が互いに異なる帯電特性を有するものであれば特に限定されるものではない。
【０１２９】
このようなツイストボールとしては、例えば、特開２００４−１９７０８３号公報で提案されているマイクロチャンネル製造方法で製造されるツイストボールと同様とすることができる。
【０１３０】
ここで、マイクロチャンネル製造方法は、着色連続相と球状粒子化相とが互いにＯ／Ｗ型又はＷ／Ｏ型の関係にあるものを用い、着色連続相が移送される第１マイクロチャンネルから、第２マイクロチャンネルに流れる流動媒体の球状粒子化相内に、２色の着色連続相を順次吐出させることにより、２色相球状ポリマー粒子で、かつ、電荷的に（±）の極性を有する帯電特性球状粒子であるツイストボールを製造する製造方法である。
【０１３１】
上記マイクロチャンネル製造方法においては、重合性樹脂成分を含有する油性又は水性の流動性媒体中に、この媒体に不溶性の着色染顔料を含有する２色に分相させた着色連続相中の重合性樹脂成分を、互いに異なる正負に帯電する重合性モノマーで形成させて、第１マイクロチャンネルに移送させ、次いで、この着色連続相を、第２マイクロチャンネル内を流れる水性又は油性の球状粒子化相中に、連続又は間欠的に順次吐出させる。次いで、球状粒子化相中に吐出させた吐出物は、マイクロチャンネル内での一連の吐出・分散・移送中に球状粒子化されながら、球状粒子化相中に順次球状物化されるので、この球状化粒子中の重合性樹脂成分をＵＶ照射下及び／又は加熱下に重合硬化させることによりツイストボールが適宜調製される。
【０１３２】
上記着色連続相は、２色相に分相されている連続色相であって、例えば、黒色／白色、赤色／白色、黄色／白色、青色／白色、緑色／白色、紫色／白色等の何れかの「有彩色相／白色相」から選ばれる何れかの２色の分相色相、あるいは有色彩相／有色彩相の異なる２色の分相色相を挙げることができる。このような色相を形成させる着色剤としては、後述する重合性樹脂成分を含有する流動性分散媒体に不溶性又は均一に分散されるのであれば特に限定することなく、適宜選んで用いられる。上記着色剤としては、染料および顔料を用いることができる。
【０１３３】
このような染料および顔料としては、例えば、特開２００４−１９７０８３号公報に記載されたものを用いることができるので、ここでの記載は省略する。
【０１３４】
これら着色剤としての染顔料の添加量は、特に限定されるものではなく、また、その着色粒子の用途等によっても所望される色調が異なり、また、上述する着色連続相中での分散性等から、本発明においては、着色連続相中の重合硬化成分である全重合性樹脂成分１００質量部当たり、０．１質量部〜８０質量部で、好ましくは２質量部〜１０質量部の範囲で適宜好適に添加することができる。
【０１３５】
上記ツイストボールに用いられる重合性樹脂成分又は重合性モノマーとしては、ツイストボールに用いられる重合性モノマーの官能基又は置換基の種類によって、上記ツイストボールの帯電性が、それぞれ（−）帯電性と（＋）帯電性を示す傾向にあるモノマー種を挙げることができる。従って、少なくとも２種以上の複数種のモノマーを本発明における重合性樹脂成分として使用する場合には、その（＋）及び（−）帯電性を示す傾向を周知のうえで、好ましくは、同種帯電性の傾向にあるモノマー同士を複数組み合わせて適宜好適に使用することもできる。
【０１３６】
一方、少なくとも１種の官能基及び／又は置換基を分子内に有する重合性樹脂成分又は重合性モノマーにおいて、その官能基又は置換基としては、例えば、カルボニル基，ビニル基，フェニル基，アミノ基，アミド基，イミド基，ヒドロキシル基，ハロゲン基，スルホン酸基，エポキシ基及びウレタン結合等を挙げることができる。本発明においては、このような重合性モノマーにおける官能基又は置換基を有するモノマー種の単独又は２種以上の複数種を組み合わせて適宜好適に使用することができる。
【０１３７】
（−）帯電性の傾向にある重合性モノマーおよび（＋）帯電性の傾向にある重合性モノマーとしては、例えば、特開２００４−１９７０８３号公報に記載されたものを用いることができるので、ここでの記載は省略する。
【０１３８】
本発明において、既に上述した第２マイクロチャンネルに着色連続相として吐出された後の重合性樹脂成分の重合時におけるこのような重合性モノマーを他の共重合モノマーに組み合わせて使用する場合には、着色樹脂微粒子に託される所望する帯電性又は電気泳動性にもよるが、重量基準で表して、帯電性の傾向にあるモノマーが、好ましくは全モノマー中１％〜１００％の範囲で、更に好ましくは５％〜１００％で、特に好ましくは１０％〜１００％の範囲にある重合性モノマーとの共重合体粒子であれば適宜好適に使用されて、所望するツイストボールを提供することができる。
【０１３９】
また、上記ツイストボールは、球状の単分散粒子で、その平均粒子径が体積基準で表して１．０μｍ〜４００μｍの範囲内で、好ましくは、２０μｍ〜２００μｍの範囲内で、更に好ましくは５０μｍ〜１２０μｍの範囲内に適宜調製することができる。また、その平均粒子径のバラツキが著しく低い均斉な粒子を適宜調製される。本発明においては、その均斉度をＣｖ値で表して、２０％以下、好ましくは、５％以下、更に好ましくは３％以下の単分散粒子のツイストボールとして適宜好適に用いられる。
【０１４０】
（２）低極性溶媒層
本発明における低極性溶媒層は、ツイストボールとともに表示媒体層を構成するものである。
本発明に用いられる低極性溶媒層は、低極性溶媒を含むものであれば特に限定されるものではない。上記低極性溶媒層としては、通常、低極性溶媒と、上記低極性溶媒を膨潤させる、エラストマー材料からなるエラストマーシートとから構成されるものである。
以下、上記低極性溶媒層に用いられる低極性溶媒、およびエラストマーシートについてそれぞれ説明する。
【０１４１】
（ｉ）低極性溶媒
本発明に用いられる低極性溶媒は、上述したツイストボールの回転が円滑となるようにするために用いられるものである。また、通常は後述するエラストマーシートを膨潤させて用いられるものである。
【０１４２】
このような低極性溶媒としては、上記ツイストボールの回転を妨げることなく、円滑に回転させることができるものであれば特に限定されるものではない。このような低極性溶媒としては、ジメチルシリコーンオイル、イソパラフィン系溶媒、および直鎖パラフィン系溶媒、ドデカン、トリデカン等の直鎖アルカンを挙げることができる。
【０１４３】
（ｉｉ）エラストマーシート
本発明に用いられるエラストマーシートは、上記低極性溶媒で膨潤させることができるエラストマー材料からなるものである。また、上記エラストマーシートは、上記ツイストボールが分散されたシート状部材であり、これに上記低極性溶媒で膨潤させることによって用いられるものである。
【０１４４】
このようなエラストマーシートに用いられる材料としては、上記ツイストボールを分散可能であり、かつ、上記低極性溶媒で膨潤することが可能であれば特に限定されるものではない。
このようなエラストマーシートの材料としては、シリコーン樹脂、微架橋したアクリル樹脂、微架橋したスチレン樹脂、およびポリオレフィン樹脂等を挙げることができる。
【０１４５】
また、上記エラストマーシートの膜厚としては、本発明における電子ペーパーがエラストマーシート中に分散されたツイストボールによって情報表示を行うことが可能であれば特に限定されるものではないが、５０μｍ〜１０００μｍの範囲内、なかでも１００μｍ〜７００μｍの範囲内、特に２００μｍ〜５００μｍの範囲内であることが好ましい。上記エラストマーシートの膜厚が上記範囲に満たない場合は、上記ツイストボールが均一に分散されたエラストマーシートとすることが困難であるからであり、上記エラストマーシートの膜厚が上記範囲を超える場合は、ツイストボールの回転を妨げるおそれがあるからである。
【０１４６】
（３）その他の部材
また、本発明における表示媒体層は、上記ツイストボールと、上記低極性溶媒層とを有するものであれば特に限定されず、他にも必要な部材を追加することができる。
以下、このような部材について説明する。
【０１４７】
（ｉ）表示媒体層用基材
本発明においては、図９に示すように、表示媒体層３０を支持するための表示媒体層用基材３３を有していてもよい。なお、図９においては、表示媒体層用基材３３は表示媒体層３０の背面電極基材１０および対向電極基材２０側の両方に配置される例について示しているが、図示はしないが、背面電極基材側または対向電極基材側のいずか一方にのみ配置されていてもよい。
表示媒体層用基材３３を有することにより表示媒体層３０の強度を向上させることができるため、電子ペーパー１００の耐久性を向上させることができる。
【０１４８】
また、上記表示媒体層用基材を有することにより、表示媒体層を背面電極基材や対向電極基材と別個の部材として扱うことが可能となる。そのため、本発明における電子ペーパーがセグメント用電子ペーパーである場合は、背面電極基材を取り換えることにより、異なる情報を表示することが可能となることから、表示媒体層を再利用することが可能となる。
【０１４９】
表示媒体層用基材については、上述した透明基材の項で説明したものと同様のものを用いることができる。
また、図９に示すように、表示媒体層用基材３３としては、ラミネート加工が可能な基材であることが好ましい。表示媒体層用基材を用いて表示媒体層を密封することが可能となるからである。ラミネート加工が可能な基材については、上述した「Ａ．電子ペーパー用背面電極基材」の保護フィルムの項で説明したものと同様とすることができるので、ここでの説明は省略する。
【０１５０】
なお、表示媒体層用基材がラミネート加工が可能な材料からならない場合は、通常、後述するシール剤を用いて表示媒体層が密封される。
【０１５１】
（ｉｉ）シール剤
シール剤は表示媒体層を密封する際に用いられるものであり、通常、表示媒体層に隣接する基材の端部に配置されるものである。
このようなシール剤については、表示媒体層中の低極性溶媒の漏れ等を防止することができるように表示媒体層に隣接する基材とともに表示媒体層を密封することが可能であれば特に限定されない。具体的には、一般的な電子ペーパーに用いられるシール剤と同様とすることができるので、ここでの説明は省略する。
【０１５２】
なお、「表示媒体層に隣接する基材」とは、ツイストボールの背面電極基材側表面および対向電極側表面に配置される基材を指し、具体的には、保護フィルム、透明基材、表示媒体層用基材のいずれかを指す。
【０１５３】
（４）表示媒体層
本発明に用いられる表示媒体層の膜厚としては、本発明における電子ペーパーにおいてツイストボールを回転させることにより情報表示を行うことが可能であれば特に限定されるものではないが、５０μｍ〜１０００μｍの範囲内、なかでも１００μｍ〜７００μｍの範囲内、特に２００μｍ〜５００μｍの範囲内であることが好ましい。上記表示媒体層の膜厚が上記範囲に満たない場合は、上記ツイストボールおよび各基材間の距離が小さいことから、ツイストボールが所望する方向へ回転するのが困難である可能性があるからであり、上記表示媒体層の膜厚が上記範囲を超える場合は、上記表示電極および対向電極間に電界を印加したとしても、上記ツイストボールおよび各基材間の距離が大きすぎることにより、本発明における電子ペーパーにおいて、ツイストボールを用いて情報表示を行うことが困難であるからである。
【０１５４】
また、本発明に用いられる表示媒体層の密封方法としては、表示媒体層から低極性溶媒の液漏れ等が発生しないように密封することが可能な方法であれば特に限定されず、例えば表示媒体層に隣接する基材の端部にシール剤を配置することによって密封する方法や、隣接する基材にラミネート加工が可能な材料からなる基材を用い、ラミネート加工することにより密封する方法を挙げることができる。
本発明においては、ラミネート加工により表示媒体層を密封することが好ましい。シール剤を用いた密封方法に比べて、より好適に表示媒体層からの低極性溶媒の液漏れ等を防止することが可能となり、また、表示領域についても広範囲なものとすることが可能となる。
【０１５５】
４．その他の構成
本発明の電子ペーパーは上述した背面電極基材、対向電極基材、および表示媒体層を有するものであれば特に限定されず、必要な構成を適宜選択して追加することができる。
このような構成としては、例えば本発明の電子ペーパーを用いてカラー表示を行うことを可能とするカラーフィルタ層、電子ペーパーの表面に反射防止機能、低反射機能、防眩機能、のぞき見防止機能等の光学的機能を付与することが可能な光学機能層、電子ペーパー表面の傷および汚れを防止する表面保護機能を付与することが可能な表面保護層、電子ペーパーの画面に触れることにより情報の入力が可能な利便性を付与するタッチパネル層等を挙げることができる。
なお、通常、これらの構成は、電子ペーパーの表示面側、すなわち対向電極基材側に設けられる。また、これらの構成についてはいずれも公知の構成と同様とすることができるので、ここでの説明は省略する。
【０１５６】
５．用途
本発明の電子ペーパーの用途としては、デジタル機器のディスプレイ、電子ブック、デジタル・サイネージ（電子看板）等に用いられる。
【０１５７】
６．電子ペーパーの製造方法
本発明における電子ペーパーの製造方法としては、上記構成を有する電子ペーパーを製造することが可能な方法であれば特に限定されず、一般的な電子ペーパーの製造方法と同様とすることができる。
このような電子ペーパーの製造方法としては、例えば、表示電極用絶縁層、および上記表示電極用絶縁層上に形成された表示電極を備え、表示情報に応じたパターン形状を有する表示電極層を形成する表示電極層形成工程、配線電極用絶縁層、および上記配線電極用絶縁層上に形成された配線電極を備え、上記表示電極に電荷を付与することが可能なパターン形状を有する配線電極層を形成する配線電極層形成工程、上記表示電極層の上記表示電極直上に上記配線電極層を配置し、電極上に導電性ペーストを含む導電接続層を配置することにより、表面電極層の表面電極および配線電極層の配線電極を接続させる接続工程、ならびに上記配線電極層の配線電極上に保護フィルムを配置する保護フィルム配置工程を有する背面電極基材形成工程と、透明電極基材上に透明電極を有する対向電極基材を準備する対向電極基材準備工程と、表示媒体を有する表示媒体層を準備する表示媒体層準備工程と、上記背面電極基材と上記対向電極基材との間に表示媒体層を配置することにより、電子ペーパーを形成する配置工程とを有する製造方法を挙げることができる。
【０１５８】
上述した電子ペーパーの製造方法について図を用いて説明する。図１０（ａ）〜（ｆ）および図１１（ａ）〜（ｄ）は、上記電子ペーパーの製造方法の一例を示す工程図である。
上記背面電極基材形成工程においては、表示電極用絶縁層１α、および表示電極用絶縁層１α上に形成された表示電極１βを備えた表示電極層用基材１’を準備し、表示電極用基板１’を表示情報に応じたパターン形状にカッティングすることにより表示電極層１を形成する表示電極層形成工程（図１０（ａ）、（ｂ））と、配線電極用絶縁層２α、および配線電極用絶縁層２α上に形成された配線電極２βを備えた配線電極層用基材２’を準備し、配線電極層用基材２’を、表示電極２βに電荷を付与することが可能なパターン形状にカッティングし、かつ所定の位置にビアホールＶ１を形成することにより配線電極層２を形成する配線電極層形成工程（図１０（ｃ）、（ｄ））と、表示電極層１の表示電極１β直上にビアホールＶ１が配置されるように配線電極層２を配置し、ビアホールＶ１を介して各電極１β、および２β上に導電性ペーストを含む導電接続層４を配置することにより、表面電極層１の表面電極１βおよび配線電極層２の配線電極２βを接続させる接続工程（図１０（ｅ））と、配線電極層２の配線電極２β上に保護フィルムを配置する保護フィルム配置工程（図１０（ｆ））とを行うことにより、背面電極基材１０を形成する。
また、上記対向電極基材準備工程においては、図１１（ａ）に示すように、透明基材２１、および透明基材２１上に形成された透明電極２２を有する対向電極基材２０を準備する。
また、表示媒体層準備工程においては、図１１（ｂ）に示すように、ツイストボール３１および低極性溶媒層３２を有する表示媒体層３０を準備する。
また、配置工程においては、図１１（ｃ）、（ｄ）に示すように、背面電極基材１０の表示電極層用絶縁層１α側に表示媒体層用基材３３を配置し、対向電極基材２０の透明基材２１側に表示媒体層用基材３３を配置し、各々の表示媒体層用基材３３との間に表示媒体層３０を配置して、表示媒体層用基材３３にラミネート加工を施すことにより、電子ペーパー１００を形成する。
【０１５９】
なお、図示はしないが、上述した表示電極層形成工程、および配線電極層形成工程において形成される各層が、金属基材および粘着層から構成されるものである場合は、金属基材を所望のパターン形状にカッティングした後、粘着層を形成することにより各層を形成してもよい。
【０１６０】
なお、上述の電子ペーパーの製造方法において、背面電極基材形成工程における表示電極層形成工程、配線電極層形成工程、接続工程、および保護フィルム配置工程に用いられる各構成の材料、形成方法、および上述の各工程において形成される表示電極層、配線電極層、および導電接続層等については、上述した「Ａ．電子ペーパー用背面電極基材」の各構成の項で説明したものと同様とすることができるので、ここでの説明は省略する。
【０１６１】
また、対向電極基材準備工程、および表示媒体層準備工程において準備される対向電極基材、および表示媒体層については、上述したものと同様とすることができるので、ここでの説明は省略する。
【０１６２】
また、配置工程における表示媒体層の配置方法は、背面電極基材および対向電極基材の間に表示媒体層を配置して電子ペーパーを形成することが可能な方法であれば特に限定されない。例えば、図１１（ｃ）、（ｄ）に示すように、背面電極基材１０の配線電極用絶縁層１α側および対向電極基材２０の透明基材２１側にそれぞれラミネート加工可能な表示媒体層用基材３３を貼合し、各表示媒体層用基材３３の間に表示媒体層３０を配置した後、ラミネート処理を施す方法を挙げることができる。また、図示はしないが、予め一対の表示媒体層用基材間に表示媒体層を配置したのち、各表示媒体層用基材の表面に背面電極基材または対向電極基材を貼合する方法等を挙げることができる。
【０１６３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１６４】
以下、本発明について実施例を挙げて説明する。
【０１６５】
厚さ５０μｍの粘着付きポリエチレンテレフタレート（ＰＥＴ）フィルム（リンテック(株)製  PET50  A PLシン 11BL）と、低温乾燥タイプの導電性ペースト（藤倉化成(株)製  D‐550）と、厚さ１２μｍの蒸着アルミニウム/ＰＥＴ（東レフィルム加工（株）製  ＃12 VM‐PET1510）と、厚さ１２μｍのポリエステルフィルム両面粘着テープ（東京フィルムサービス（株）製  Ｎｏ.７０５）と、厚さ５５μｍのラミネートシートＰＥＴ/ＣＰＰ（パナック(株)製  ＰＥＴ/ＣＰＰ  ５５μｍ）と、厚さ１２５μｍの透明電極ＩＴＯ/ＰＥＴ（東京中井商事(株)  RT‐1T）と、シリコーンオイルで膨潤済みの厚さ３３０μｍの＊ツイストボールシート（綜研化学(株)製  ツイストボールシート（黒白）  ＊電子ペーパーの一種）と、カッティングマシーン（グラフテック（株）製  CE‐5000）を準備した。
【０１６６】
（背面電極基材の作製）
厚さ１２μｍの蒸着アルミニウム/ＰＥＴ（東レフィルム加工(株)製  ＃12 VM-PET1510）のPET面に厚さ１２μｍのポリエステルフィルム両面粘着テープ（東京フィルムサービス(株)製  Ｎｏ.７０５）の片方の面の剥離紙（ポリエステルフィルム）を剥がし、貼り合わせた。
【０１６７】
作製した蒸着アルミニウム／ＰＥＴ／粘着テープ／剥離紙のアルミニウム面をカッティングマシーン（グラフテック(株)製  CE-5000）にて粘着層まで所定の絵柄を表示可能なパターン状にカットし、表示電極層を形成した。この際、電極間の隙間を０．５ｍｍにてカットし、その後不要部のアルミニウムを除去した。
【０１６８】
厚さ５０μｍの粘着付きポリエチレンテレフタレート（ＰＥＴ）フィルム（リンテック(株)製  PET50 A PLシン 11BL）のＰＥＴ面をカッティングマシーン（グラフテック(株)製  CE-5000）にて粘着層までカットし、表示電極用ビアホールの形状にカットし（表示電極用ビアホールの大きさは１〜３ｍｍ）、カットしたビアは剥離して、表示電極用ビアホールを形成し、第１表示電極用スペーサ層を得た。第１表示電極用スペーサ層と同様の材料、および形成方法により第１表示電極用ビアホールより表示電極用ビアホールが大きくなるように（表示電極用ビアホールの大きさは２〜５ｍｍ）して、第２表示電極用スペーサ層を形成した。上述した表示電極層のアルミニウム面側に第１表示電極層用スペーサ層を貼り合わせ、更に第２表示電極層用スペーサ層を貼り合わせた。
【０１６９】
表示電極層と同様に、蒸着アルミニウム／ＰＥＴ／粘着／剥離紙をカッティングマシーンにて粘着層までカットし、配線電極層を形成した。配線電極層は、貼り合わせた第２表示電極用スペーサ層の表示電極用ビアホールの周囲を囲むように配線を形成し、不要部のアルミニウムを除去したものである。
【０１７０】
第１表示電極用スペーサ層等と同様に同様、厚さ５０μｍの粘着ＰＥＴフィルムにカッティングマシーンにて配線電極の取り出し部が見えるように配線電極用ビアホールを形成して配線電極用スペーサ層を形成し、上述の配線電極層のアルミニウム面に貼り合わせた。
【０１７１】
上述した配線電極層の配線電極用スペーサ層とは反対側の面と表示電極層の第２表示電極用スペーサ層側の面とが対向するようにして、配線電極層および表示電極層を貼り合わせて電極シートを得た。
【０１７２】
電極シートのビアホール（表示電極用ビアホール、配線電極用ビアホール）に導電性ペーストを塗り、表示電極と配線電極を接続した。
【０１７３】
上記導電性ペーストが乾燥、固化した後、厚さ５０μｍの粘着PETフィルムを導電性ペースト上に貼合し、導電性ペーストを絶縁した。
【０１７４】
形成した電極シートの最下面にある、厚さ１２μｍのポリエステルフィルム両面粘着テープの剥離紙（ポリエステルフィルム）を剥がし、厚さ５５μｍのラミネートシートＰＥＴ/ＣＰＰ（パナック(株)製  ＰＥＴ/ＣＰＰ  ５５μｍ）のＰＥＴ面に貼り合わせた。
これにより背面電極基材を得た。
【０１７５】
（対向電極基材の作製）
厚さ１２５μｍの透明電極ＩＴＯ/ＰＥＴ（東京中井商事(株)  RT-1T）のＩＴＯ面に厚さ１２μｍのポリエステルフィルム両面粘着テープ（東京フィルムサービス(株)製  Ｎｏ.７０５）の片方の面の剥離紙（ポリエステルフィルム）を剥がし、貼り合わせた。この際、ＩＴＯ面が粘着面から５ｍｍ以上出るように貼合した。
【０１７６】
作成した対向電極基材の厚さ１２μｍのポリエステルフィルム両面粘着テープの剥離紙（ポリエステルフィルム）を剥がし、厚さ５５μｍのラミネートシートＰＥＴ/ＣＰＰ（パナック(株)製  ＰＥＴ/ＣＰＰ  ５５μｍ）のＰＥＴ面に貼り合わせた。
【０１７７】
（電子ペーパーの作製）
上述の背面電極基材と上述の対向電極基材とのお互いのＣＰＰ面を重ね合わせ、３辺をヒートシールし、袋を作製する。
次に、表示媒体層として、シリコーンオイルで膨潤済みの厚さ３３０μｍの＊ツイストボールシート（綜研化学(株)製  ツイストボールシート（黒白）  ＊電子ペーパーの一種）を上述した電極基材同士を重ね合わせた袋に挿入する。
【０１７８】
ツイストボールシート挿入後、シリコーンオイルを調整し、気泡が入らないように袋の最後の１辺をヒートシールし、ツイストボールシートを封入し、ツイストボール方式の電子ペーパーを得た。
【０１７９】
表示電極と透明電極を有する対向電極をリード線で配線し、リード線を介して表示電極に±１００Ｖの矩形波形の電圧信号を印加し、絵柄を表示させ、反射率及びコントラストを測定した。測定器は反射濃度計（R700、井原電子工業；ISO5/4、ANSI PH2.17、DIN16536）を用いて、反射率（濃度）及びコントラストを測定した。
【０１８０】
上記反射率およびコントラストは電子ペーパー全体で均一なものとなり、表示ムラは発生しなかった。
また、導電接続層の割れ、配線電極層の断線等も発生しなかった。
【符号の説明】
【０１８１】
１  …表示電極層
１α  …表示電極用絶縁層
１β  …表示電極
２  …配線電極層
２α  …配線電極用絶縁層
２β  …配線電極
３  …保護フィルム
４  …導電接続層
１０  …背面電極基材
２０  …対向電極基材
２１  …透明基材
２２  …透明電極
３０  …表示媒体層
３１  …表示媒体
１００  …電子ペーパー
Ｖ１  …ビアホール
【図１】
0005824844.tif 000002
【図２】
0005824844.tif 000003
【図３】
0005824844.tif 000004
【図４】
0005824844.tif 000005
【図５】
0005824844.tif 000006
【図６】
0005824844.tif 000007
【図７】
0005824844.tif 000008
【図８】
0005824844.tif 000009
【図９】
0005824844.tif 000010
【図１０】
0005824844.tif 000011
【図１１】
0005824844.tif 000012
【図１２】
0005824844.tif 000013
【図１３】
0005824844.tif 000014
【図１４】
0005824844.tif 000015